(57)【特許請求の範囲】
【請求項１】
写真フイルムの一端が係止されて回転自在とされたスプールの端部に係合される回転軸と、
この回転軸と同軸で一体に回転される従動ギヤと、
前記回転軸と同軸で回転される駆動部材と、
この駆動部材に回転自在に取り付けられ、前記従動ギヤに噛合されてその周りで公転する少なくとも３個の遊星ギヤと、
これらの遊星ギヤに噛合して自転させ、前記従動ギヤをフイルム巻上げ方向に回転させる内歯ギヤとを備えたことを特徴とするフイルム巻上げ機構。
【請求項２】
写真フイルムの一端が係止されて回転自在とされたスプールの端部に係合される回転軸と、
この回転軸と同軸で一体に回転される従動ギヤと、
この従動ギヤに噛合される少なくとも３個の遊星ギヤと、
前記回転軸と同軸で回転される駆動部材と、
前記駆動部材と同軸で一体に回転され、前記３個の遊星ギヤに噛合して回転させ、前記従動ギヤをフイルム巻上げ方向に回転させる内歯ギヤとを備えたことを特徴とするフイルム巻上げ機構。
【請求項３】
前記駆動部材は、手動で回転操作される巻上げノブであることを特徴とする請求項１または２記載のフイルム巻上げ機構。
【請求項４】
未露光の写真フイルムと、この写真フイルムの一端が係止されたスプールが内蔵されるパトローネとが予め装填され、撮影機構と、駆動部材として巻上げノブを用いるフイルム巻上げ機構とが組み込まれたレンズ付きフイルムユニットにおいて、
前記請求項１〜３のいずれかに記載のフイルム巻上げ機構を用いたことを特徴とするレンズ付きフイルムユニット。
【発明の詳細な説明】
【０００１】
【発明の属する技術分野】
本発明は、フイルム巻上げ機構及びレンズ付きフイルムユニットに関し、更に詳しくは、フイルム巻上げ効率を向上させたフイルム巻上げ機構及びレンズ付きフイルムユニットに関するものである。
【０００２】
【従来の技術】
写真フイルムとパトローネとが予め装填され、簡単な撮影機構が組み込まれたレンズ付きフイルムユニットが本出願人より製造・販売されている。このレンズ付きフイルムユニットには様々な種類があり、パトローネにプラスチック製のカートリッジを用いたフイルムカートリッジを使用するレンズ付きフイルムユニットがある。
【０００３】
前記レンズ付きフイルムユニットは、撮影レンズを挟んでカートリッジ本体を収納するカートリッジ室と、カートリッジ本体から引き出されてロール状に巻かれた写真フイルムを収納するフイルムロール室とが設けられており、カートリッジ室の上部でカートリッジ本体にのスプールに係合された巻上げノブを撮影ごとに回転操作して、露光済みの写真フイルムをカートリッジ本体の内部に巻き上げていくようになっている。
【０００４】
上記フイルムカートリッジには、最も撮影枚数の多いもので４０コマの撮影枚数を有するものがある。この４０コマの撮影枚数を有するフイルムカートリッジのスプールの軸径は、直径７ｍｍとされている。レンズ付きフイルムユニットは、最初に使用する際に巻上げノブを回転操作して写真フイルムの１コマ目を撮影位置にセットし、さらにこの際の写真フイルムの移動を利用してシャッタチャージやフイルムカウンタの表示の更新を行っている。また、最後のコマに撮影を終了した後には、巻上げノブの回転操作によって写真フイルムの先端までをカートリッジ本体の内部に完全に収納し、明室内でフイルムカートリッジの取り出しを行えるようにしている。
【０００５】
【発明が解決しようとする課題】
上記フイルムカートリッジに用いられる写真フイルムは、実際に撮影が行われる撮影領域の両端に、現像処理時等に使用される露光禁止領域が数コマ分設けられている。そのため、フイルムカートリッジを用いたレンズ付きフイルムユニットでは、最初の使用時に１コマ目をセットするフイルム巻上げ操作で、巻上げノブをおよそ４５０°（１．２５回転）させ、最終コマへの撮影終了後には写真フイルムを全てカートリッジ本体に巻き込むために、巻上げノブを１３６０°（約３．８回転）させなくてはならない。
【０００６】
上記回転角度は、例えば１度の巻上げ操作で回転される巻上げノブの回転量を１１３°とすると、レンズ付きフイルムユニットの使用時には巻上げノブを４回操作しなければならず、使用終了時には１２回の巻上げノブの操作が必要となり、ユーザーに多大な負担を強いていた。また、一般的なカメラでは、巻上げノブ（巻上げレバー）の回転量以上に巻上げ軸を回転させる増速ギヤ群を巻上げノブとスプールとの間に設けたものがあるが、レンズ付きフイルムユニットではそのような増速ギヤ群を設けるスペース的余裕がない。
【０００７】
本発明は、上記問題点を解決するためのもので、ユーザーによる撮影操作の負担を軽減することを目的とする。
【０００８】
【課題を解決するための手段】
上記問題点を解決するために、請求項１記載のフイルム巻上げ機構は、写真フイルムの一端が係止されて回転自在とされたスプールの端部に係合される回転軸と、この回転軸と同軸で一体に回転される従動ギヤと、前記回転軸と同軸で回転される駆動部材と、この駆動部材に回転自在に取り付けられ、前記従動ギヤに噛合されてその周りで公転する少なくとも３個の遊星ギヤと、これらの遊星ギヤに噛合して自転させ、前記従動ギヤをフイルム巻上げ方向に回転させる内歯ギヤとを備えたものである。
【０００９】
また、請求項２記載のフイルム巻上げ機構は、写真フイルムの一端が係止されて回転自在とされたスプールの端部に係合される回転軸と、この回転軸と同軸で一体に回転される従動ギヤと、この従動ギヤに噛合される少なくとも３個の遊星ギヤと、前記回転軸と同軸で回転される駆動部材と、前記駆動部材と同軸で一体に回転され、前記３個の遊星ギヤに噛合して回転させ、前記従動ギヤをフイルム巻上げ方向に回転させる内歯ギヤとを備えたものである。
【００１０】
更に、請求項３記載のフイルム巻上げ機構は、駆動部材として手動で回転操作される巻上げノブを用いたものである。
【００１２】
更に、請求項５記載のレンズ付きフイルムユニットは、請求項１〜３のいずれかに記載のフイルム巻上げ機構を用いたものである。
【００１３】
【発明の実施の形態】
以下、添付した図面に従って、本発明を実施したレンズ付きフイルムユニットについて説明する。図２に示すように、レンズ付きフイルムユニット２は、予め写真フイルムが装填され各種撮影機構が組み込まれたユニット本体３と、このユニット本体３を部分的に覆うラベル４とから構成されている。
【００１４】
ユニット本体３の上面には、シャッタボタン６，カウンタ窓７が、前面にはファインダ８，撮影レンズ９等が設けられている。また、背面側からは１コマの撮影毎に回転操作される巻上げノブ１０が露呈されている。ラベル４は、裏面に接着剤が塗布された帯状の紙片であり、ユニット本体３の中央部分に巻かれるように貼付される。ラベル４には、撮影レンズ９やファインダ８，カウンタ窓７等を外部に露呈させる開口が形成されている。
【００１５】
図３に示すように、ユニット本体３は、フイルムカートリッジ１２が装填される本体部１３と、この本体部１３の前面に組み付けられる露光ユニット１４と、本体部１３を挟み込むように前面側及び背面側に組み付けられる前カバー１５及び後カバー１６とから構成されている。
【００１６】
フイルムカートリッジ１２は、プラスチック製のカートリッジ本体１８と、このカートリッジ本体１８内に収納される写真フイルム１９とから構成されている。カートリッジ本体１８内には、写真フイルム１９の一端が係止されるスプール２０が回転自在に組み込まれており、更に特開平６−２６６０５３号公報で知られるようなフイルム送出し機構が内蔵されている。また、写真フイルム１９がカートリッジ本体１８内に出入りするフイルム出入り口（図示せず）には、外部から回動されることによりフイルム出入り口を開閉する棒状の遮光蓋２１が組み込まれている。
【００１７】
図４に示すように、写真フイルム１９はフイルム自由端部１９ａ，撮影領域１９ｂ，フイルム係止部１９ｃから構成されている。撮影領域１９ｂには、一方の側縁に沿ってサイズの異なった大小２個のパーフォレーション２３，２４が２種類の間隔で交互に配列されている。パーフォレーション２３，２４は、各コマ２５のフイルム給送方向の先頭側と後部側とを設定するもので、レンズ付きフイルムユニット２では撮影毎に写真フイルム１９をカートリッジ本体１８内に巻き込んでいくことから、大パーフォレーション２３がフイルム給送方向の先頭側を、小パーフォレーション２４が後部側を示している。同様に、コマ２５ａが最初に撮影が行われる第１コマとなり、コマ２５ｂが最後に撮影が行われる最終コマとなる。各パーフォレーション２３，２４は、コマ２５の数に対応する数だけ設けられている。
【００１８】
フイルム係止部１９ｃは端部がスプール２０に係止されており、巻上げノブ１０の回動操作によるスプール２０の回転によって、スプール２０に巻き付けられる。フイルム自由端部１９ａとフイルム係止部１９ｃとは撮影に用いられない領域とされており、現像処理時に使用するための露光禁止領域となっている。これらの露光禁止領域は、数コマ分の長さをそれぞれ有している。このフイルム自由端部１９ａとフイルム係止部１９ｃは、未露光の状態でカートリッジ本体１８内に巻き上げられる。
【００１９】
図示した写真フイルム１９は、一般のカメラに使用される写真フイルムに追加工を施してレンズ付きフイルムユニット用としたものである。カメラ用の写真フイルムとレンズ付きフイルムユニット用の写真フイルム１９との差異は、大パーフォレーション２３の大きさと、フイルム係止部１９ｃの範囲内に追加された初期チャージ用の小パーフォレーション２６である。カメラ用の写真フイルムでは全てのパーフォレーションの大きさが小パーフォレーション２４と同じ大きさとなっており、フイルム係止部１９ｃ内にパーフォレーションは存在しない。フイルム自由端部１９ａのパーフォレーション２７は、カメラに装填された際に最初のシャッタチャージを行うためのものである。
【００２０】
本体部１３の中央部には、撮影レンズ９から写真フイルム１９までの間の撮影光路を遮光する遮光筒２９が設けられている。この遮光筒２９の前面側には、撮影レンズ９を透過した被写体光を写真フイルム１９まで導く開口３０が形成されており、背面側には、写真フイルム１９への露光範囲を規定するアパーチャーが形成されている。
【００２１】
遮光筒２９を挟む両側には、製造段階でカートリッジ本体１８と、ロール状に巻かれた写真フイルム１９とがそれぞれ収納される、カートリッジ室３２とフイルムロール室３３とが一体に形成されている。カートリッジ室３２及びフイルムロール室３３は、本体部１３の背面側に後カバー１６が組み付けられ、後カバー１６に一体に形成されたカートリッジ室用の底蓋３４と、フイルムロール室用の底蓋３５とが閉じられることにより適正な遮光能が得られる。なお、底蓋３４，３５は、後カバー１６に対して屈曲自在な薄肉部を介して連結されており、底蓋３４は使用後のレンズ付きフイルムユニット２からフイルムカートリッジ１２を取り出す際に開放される。
【００２２】
前カバー１５は、本体部１３の前面側に着脱自在に組み付けられ、シャッタボタン６とともに、ファインダ８の対物側を外部に露呈する対物側開口３７が形成されている。後カバー１６は、本体部１３の背面側に爪係合によって組み付けられる。後カバー１６の内面側には、本体部１３のアパーチャーの背後で写真フイルム１９の背面を支持するフイルム支持面１６ａが形成されている。また、ファインダ８の接眼側を外部に露呈する接眼側開口３８が支持面１６ａの上方に形成されている。
【００２３】
露光ユニット１４は、多数のボスや突起が一体に形成されたブロック形状のユニット基部４０に、ファインダ８や撮影レンズ９の他、シャッタチャージ機構，シャッタレリーズ機構，フイルム巻止め機構，フイルムカウント機構等が一体に組み込まれている。そして、本体部１３の遮光筒２９の前面に爪係合によって着脱自在に組み付けられる。
【００２４】
図１及び図５，図６に示すように、カートリッジ室３２の上部には、巻上げノブ１０と、遊星ギヤ機構とが組み付けられている。巻上げノブ１０は、外周に歯列１０ａが形成された円板形状をしており、スプール２０の端部に係合する回転軸４２の一部が挿入される穴１０ｂが設けられている。また、巻上げノブ１０の下面には、３個の遊星ギヤ４３が回転自在に取り付けられる３本のピン１０ｃが形成されている。
【００２５】
カートリッジ室３２の上面４５には、回転軸４２が回転自在に挿通される開口４６と、この開口４６を取り囲むように配置された内歯ギヤ４７とが設けられている。また、上面４５には、カートリッジ本体１８の遮光蓋２１に係合する蓋駆動部材（図示せず）が組み浸けられる軸受け部４８が形成されている。この蓋駆動部材は、遮光筒２９とカートリッジ室３２との間に組み付けられる連結棒（図示せず）とともに遮光蓋閉鎖機構を構成するもので、連結棒の一端は後カバー１６の底蓋３４に連結され、他端で蓋駆動部材を遮光蓋２１の開き位置に保持する。そして、写真フイルム１９を全てカートリッジ本体１８内に巻き込んだ後に底蓋３４を開放すると、連結棒が移動して蓋駆動部材の保持を解除し、蓋駆動部材はバネの付勢によって遮光蓋を閉じるようになっている。
【００２６】
回転軸４２は、スプール２０の端部に係合する係合部５０と、この係合部５０の上部に一体に形成された従動ギヤ５１と、従動ギヤ５１の上部に一体に形成されたピン５２とからなる。従動ギヤ５１は、内歯ギヤ４７よりも歯数が少なくされている。内歯ギヤ４７と従動ギヤ５１との間には、ピン１０ｃに取り付けられた３個の遊星ギヤ４３が組み込まれ、内歯ギヤ４７と従動ギヤ５１とにそれぞれ噛合する。また、巻上げノブ１０は、穴１０ｂに回転軸４２のピン５２が挿入されることにより、回転軸４２の上方に回転自在に保持される。このように、遊星ギヤ機構は、巻上げノブ１０の下方に省スペースに組み込むことができるので、レンズ付きフイルムユニット２を大型化することなく採用することができる。
【００２７】
巻上げノブ１０をフイルム巻上げ方向に回転操作すると、巻上げノブ１０は穴１０ｂを中心に反時計方向に回転し、ピン１０ｃに取り付けられた３個の遊星ギヤ４３は、回転軸４２を中心にして同様に反時計方向に回転（公転）する。この際に、遊星ギヤ４３は内歯ギヤ４７によって図中時計方向に回転（自転）され、この回転を従動ギヤ５１に伝達する。これにより回転軸４２は、内歯ギヤ４７と従動ギヤ５１とのギヤ比分だけ増速されて、巻上げノブ１０と同方向のフイルム巻上げ方向に回転される。
【００２８】
次に、上記実施形態の作用について説明する。図２示すレンズ付きフイルムユニット２を購入したユーザーは、レンズ付きフイルムユニット２を包んでいる包装袋や、ラベル４に記載されている使用方法に従って巻上げノブ１０をフイルム巻上げ方向に回転操作して、図４に示す写真フイルム１９の１コマ目２５ａを撮影位置にセットするとともに、シャッタチャージを行う。
【００２９】
図１及び図５，図６に示すように、巻上げノブ１０を図中反時計方向のフイルム巻上げ方向に回転操作すると、遊星ギヤ４３は回転軸４２の外周を公転しながら内歯ギヤ４７に噛合することにより図中時計方向に自転する。この自転は従動ギヤ５１に伝達されるため、回転軸４２は巻上げノブ１０と同じフイルム巻上げ方向に増速されて回転される。回転軸４２の係合部５０に係合されたカートリッジ本体１８のスプール２０は、外周に写真フイルム１９を巻き付けながらフイルム巻上げ方向に回転される。これにより、従来の巻上げノブ１０がスプール２０に直結されていたレンズ付きフイルムユニットに比べて、少ない巻上げノブ１０の回転操作で、素早くレンズ付きフイルムユニット２の撮影準備を行うことができる。
【００３０】
撮影準備が終了した後には、ファインダ８を覗いて撮影範囲を確認し、シャッタボタンを押圧する。これにより、露光ユニット１４に組み込まれたシャッタ機構がシャッタレリーズし、写真フイルム１９の１コマ目２５ａに露光が行われる。
【００３１】
１コマの撮影ごとに巻上げノブ１０を回転操作して、露光済みの写真フイルム１９のカートリッジ本体１８への巻き上げと、シャッタチャージとを行うが、遊星ギヤ４３と内歯ギヤ４７と、従動ギヤ５１とにより巻上げノブ１０の回転は増速して回転軸４２に伝達されるので、従来のレンズ付きフイルムユニットよりも早く次の撮影準備ができ、シャッタチャンスを逃すことなく撮影行うことができる。
【００３２】
写真フイルム１９の最終コマ２５ｂへの撮影が終了したあとには、包装袋やラベル４の記載に従って、写真フイルム１９を全てカートリッジ本体１８内に巻き込むための巻上げ操作を行う。この際にも巻上げノブ１０の回転は増速して回転軸４２に伝達されるので、従来よりも少ない回転操作で写真フイルム１９の巻上げ操作を終了することができ、ユーザーの負担を軽減することができる。
【００３３】
【実施例】
上記実施形態では、内歯ギヤ４７の歯数Ｚ１を３７とし、従動ギヤ５１の歯数Ｚ２を１２とし、遊星ギヤ４３の歯数Ｚ３をそれぞれ１２としている。巻上げノブ１０を駆動源としたときの増速比は、（Ｚ１＋Ｚ２）／Ｚ２から約４となり、巻上げノブ１０の回転が４倍に増速されて回転軸４２に伝達されることになる。これにより、従来は４回の操作を行っていた初期使用時の巻上げノブの回転操作が１回でよくなり、全コマ撮影後のフイルムリーダー部（フイルム自由端部１９ａ）の巻き込み時の巻上げノブの回転操作は従来１２回行っていたが、３回で完了できる。なお、増速比は限定されるものではなく、これより小さくても、また大きくてもよい。
【００３４】
また、上記条件を求めるには、以下に示す内歯歯車の条件式を満たすように、それぞれの値を決める必要がある。
Ｚ１＝Ｚ２＋Ｚ３×２＋Ｋ
Ｚ１：内歯ギヤの歯数，Ｚ２：従動ギヤの歯数，Ｄ３：遊星ギヤの歯数
Ｋ：任意の整数（ただし、この場合はＫ＝１が望ましく、３以上の場合はそのままでは成立しない。また、Ｋ＝０とした場合は、ギヤのクリアランスがなくなってしまうため、マイナス転移をする必要がある。）
【００３５】
なお、上記の実施の形態では、アドバンスド・フォト．システム対応のフイルムカートリッジを装填したレンズ付きフイルムユニットを例に説明したが、１３５タイプのフイルムパトローネを装填したレンズ付きフイルムユニットにも用いることができる。また、手動操作用の巻上げノブを備えたカメラや、モーターワインディング式のカメラにも用いることができる。更に、遊星ギヤを３個としたが、１個または２個、あるいは３個以上でもよい。
【００３６】
更に、巻上げノブと回転軸との回転方向が同じになるようにしたが、例えば一眼レフタイプのカメラのように、巻上げノブ（巻上げレバー）の回転方向と、巻上げ軸の回転方向とを逆向きにしたい場合には、遊星ギヤをカメラ本体側に取り付け、内歯ギヤを巻上げノブに一体に設ければよい。
【００３７】
【発明の効果】
以上説明したように、本発明のフイルム巻上げ機構及びレンズ付きフイルムユニットによれば、駆動部材である巻上げノブと回転軸との間に、回転軸を増速する遊星ギヤ機構を設けたので、従来よりも巻上げノブの操作量を減少することができ、ユーザーへの負担を軽減することができる。また、フイルム巻上げが素早く行えるので、シャッタチャンスを逃すことなく適宜撮影を行うことができるようになる。更に、省スペースに組み込むことができるので、レンズ付きフイルムユニットを大型化することはない。
【図面の簡単な説明】
【図１】本発明の遊星ギヤ機構の構成を示す分解斜視図である。
【図２】レンズ付きフイルムユニットの外観を示す斜視図である。
【図３】ユニット本体の構成を示す分解斜視図である。
【図４】フイルムカートリッジの構成を示す正面図である。
【図５】ユニット本体の要部断面図である。
【図６】遊星ギヤ機構の構成を示す平面図である。
【符号の説明】
２  レンズ付きフイルムユニット
３  ユニット本体
１０  巻上げノブ
１２  フイルムカートリッジ
１８  カートリッジ本体
１９  写真フイルム
２０  スプール
４２  回転軸
４３  遊星ギヤ
４７  内歯ギヤ
５１  従動ギヤ
【図１】
0003778530.tif 000002
【図２】
0003778530.tif 000003
【図３】
0003778530.tif 000004
【図４】
0003778530.tif 000005
【図５】
0003778530.tif 000006
【図６】
0003778530.tif 000007